(57)【要約】【課題】釘刺し試験時、開裂した圧力開放弁から電極の一部が飛散することを抑止し、且つ開裂した圧力開放弁からケースの一部である金属粉が飛散することを抑止できる蓄電装置を提供すること。【解決手段】二次電池１０は、蓋体１４の内面１４ａと遮蔽部６１との間に介在する被覆部６４を備える。被覆部６４は、圧力開放弁１８に対向する貫通孔６５を有する。被覆部６４における貫通孔６５の周囲の部位は、蓋体１４の内面１４ａにおける圧力開放弁１８の周囲の部位を覆っている。短絡部で発生した高圧のガスは、開裂した圧力開放弁１８に向かう途中で遮蔽部６１に衝突し、ガスの流れの向きが変わることで、圧力開放弁１８に向かうガスの経路が長くなる。遮蔽部６１に衝突した後に圧力開放弁１８に向かうガスが、圧力開放弁１８からケース１１外へ放出される前に、蓋体１４の内面１４ａにおける圧力開放弁１８の周囲の部位に衝突してしまうことが回避される。【選択図】図６
2018049737.tif 000002
【特許請求の範囲】
【請求項１】
異なる極性の電極が互いに絶縁され、且つ層状構造を有する電極組立体と、
電解液と、
前記電極組立体及び前記電解液を収容した金属製のケースと、
前記ケースの壁部に存在し、前記ケース内の圧力が開放圧に達した場合に開裂し、前記ケース内の圧力を前記ケース外に開放させる圧力開放弁と、
前記壁部の内面と該内面に対峙する前記電極組立体の端面との間に介在し、前記圧力開放弁に対向する遮蔽部と、を有する蓄電装置であって、
前記壁部の内面と前記遮蔽部との間に介在する被覆部を備え、
前記被覆部は、前記圧力開放弁に対向する貫通孔を有し、
前記被覆部における前記貫通孔の周囲の部位は、前記壁部の内面における前記圧力開放弁の周囲の部位を覆っていることを特徴とする蓄電装置。
【請求項２】
前記壁部の内面と該内面に対峙する前記電極組立体の端面との間で、異なる極性を短絡させない状態に存在する遮蔽部材を備え、
前記遮蔽部材は、前記遮蔽部及び前記被覆部を一体に有し、前記遮蔽部と前記被覆部との間に開口部を有することを特徴とする請求項１に記載の蓄電装置。
【請求項３】
前記電極の一辺の一部から突出した形状のタブが同じ極性同士で積層されたタブ群と、
前記タブ群に接合され、前記壁部と前記タブ群との間に介在する導電部材と、
前記壁部と前記導電部材とを絶縁する絶縁カバーと、を備え、
前記絶縁カバーは、前記被覆部としても機能することを特徴とする請求項１に記載の蓄電装置。
【請求項４】
前記蓄電装置は二次電池であることを特徴とする請求項１〜請求項３のいずれか一項に記載の蓄電装置。
【発明の詳細な説明】
【技術分野】
【０００１】
本発明は、圧力開放弁を備える蓄電装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。二次電池は、例えば、特許文献１に記載されるように、金属製のケースに電極組立体及び電解液が収容されており、ケースの壁部にはケース内の圧力をケース外に開放させる圧力開放弁が設けられている。
【０００３】
このような二次電池において、その評価試験の一つである釘刺し試験が行われると、釘によって正極電極と負極電極との間のセパレータが破断し、正極電極と負極電極とがケース内において短絡する。そして、短絡が発生すると、その短絡部の周辺では熱が発生し、短絡部の周辺で発生した熱によって電解液成分が分解され、ケース内にガスが発生する。すると、ケース内の圧力が上昇して圧力開放弁が開裂するが、圧力開放弁からケース外へガスが放出される際、高圧のガスによって電極の一部が削られ、そのままガスに乗ってケースの外部に飛び散る虞がある。
【０００４】
そこで、特許文献１には、圧力逃し弁（圧力開放弁）に対向するバッフルプレート（遮蔽部）を有する安全保護装置を備えた二次電池が開示されている。ケース内の圧力が上昇して圧力逃し弁が開裂すると、短絡部で発生した高圧のガスは、圧力逃し弁に向かう途中でバッフルプレートに衝突し、ガスの流れの向きが変わる。すると、圧力開放弁に向かうガスの経路が長くなるため、電極の一部がガスに乗ってケースの外部に飛び散ってしまうことが抑止される。
【先行技術文献】
【特許文献】
【０００５】
【特許文献１】特開２０１６−９６１２９号公報
【発明の概要】
【発明が解決しようとする課題】
【０００６】
しかしながら、特許文献１のように、バッフルプレートに衝突した後に圧力逃し弁に向かうガスは、圧力逃し弁からケース外へ放出される前に、ケースの壁部の内面における圧力逃し弁の周囲の部位に衝突し易い。ガスが、ケースの壁部の内面に衝突すると、ケースの壁部の内面におけるガスが衝突した部位が削られて金属粉が発生し、金属粉がそのままガスに乗ってケースの外部に飛び散る虞がある。
【０００７】
本発明は、上記課題を解決するためになされたものであって、その目的は、釘刺し試験時、開裂した圧力開放弁から電極の一部が飛散することを抑止し、且つ開裂した圧力開放弁からケースの一部である金属粉が飛散することを抑止できる蓄電装置を提供することにある。
【課題を解決するための手段】
【０００８】
上記課題を解決する蓄電装置は、異なる極性の電極が互いに絶縁され、且つ層状構造を有する電極組立体と、電解液と、前記電極組立体及び前記電解液を収容した金属製のケースと、前記ケースの壁部に存在し、前記ケース内の圧力が開放圧に達した場合に開裂し、前記ケース内の圧力を前記ケース外に開放させる圧力開放弁と、前記壁部の内面と該内面に対峙する前記電極組立体の端面との間に介在し、前記圧力開放弁に対向する遮蔽部と、を有する蓄電装置であって、前記壁部の内面と前記遮蔽部との間に介在する被覆部を備え、前記被覆部は、前記圧力開放弁に対向する貫通孔を有し、前記被覆部における前記貫通孔の周囲の部位は、前記壁部の内面における前記圧力開放弁の周囲の部位を覆っている。
【０００９】
これによれば、釘刺し試験時、異なる極性の電極が釘を介して短絡した短絡部で発生した高圧のガスは、ケース内の圧力が開放圧に達して開裂した圧力開放弁に向かう途中で遮蔽部に衝突し、ガスの流れの向きが変わることで、圧力開放弁に向かうガスの経路が長くなる。その結果、ガスに含まれる電極の一部がケース内でガスから落下し、開裂した圧力開放弁から電極の一部がケース外へ飛散することが抑止される。
【００１０】
短絡部で発生した高圧のガスは、圧力開放弁に向かう途中で遮蔽部に衝突してガスの流れの向きが変わった後、再び圧力開放弁に向けて流れ、被覆部の貫通孔を介して圧力開放弁からケース外へ放出される。ここで、被覆部における貫通孔の周囲の部位が、壁部の内面における圧力開放弁の周囲の部位を覆っているため、遮蔽部に衝突した後に圧力開放弁に向かうガスが、圧力開放弁からケース外へ放出される前に、壁部の内面における圧力開放弁の周囲の部位に衝突してしまうことを回避することができる。その結果、圧力開放弁に向かうガスにより、壁部の内面における圧力開放弁の周囲の部位が削られることを抑止し、金属粉の発生を抑止できる結果、開裂した圧力開放弁から金属粉がケース外へ飛散することが抑止される。
【００１１】
上記蓄電装置において、前記壁部の内面と該内面に対峙する前記電極組立体の端面との間で、異なる極性を短絡させない状態に存在する遮蔽部材を備え、前記遮蔽部材は、前記遮蔽部及び前記被覆部を一体に有し、前記遮蔽部と前記被覆部との間に開口部を有するとよい。これによれば、遮蔽部と被覆部とが別体である場合に比べて、部品点数を削減することができ、構成を簡素化できる。また、圧力開放弁に向かうガスは、遮蔽部に衝突し、ガスの流れの向きが変わって、遮蔽部材の開口部及び被覆部の貫通孔を介して圧力開放弁からケース外へ放出される。
【００１２】
上記蓄電装置において、前記電極の一辺の一部から突出した形状のタブが同じ極性同士で積層されたタブ群と、前記タブ群に接合され、前記壁部と前記タブ群との間に介在する導電部材と、前記壁部と前記導電部材とを絶縁する絶縁カバーと、を備え、前記絶縁カバーは、前記被覆部としても機能するとよい。これによれば、既存の部材である絶縁カバーを被覆部として機能させることにより、被覆部を別部材として別途用意する必要が無くなるため、部品点数を削減することができる。
【００１３】
上記蓄電装置において、前記蓄電装置は二次電池であるとよい。
【発明の効果】
【００１４】
この発明によれば、釘刺し試験時、開裂した圧力開放弁から電極の一部が飛散することを抑止し、且つ開裂した圧力開放弁からケースの一部である金属粉が飛散することを抑止できる。
【図面の簡単な説明】
【００１５】
【図１】実施形態における二次電池の分解斜視図。
【図２】二次電池の斜視図。
【図３】電極組立体の構成要素を示す分解斜視図。
【図４】二次電池の平断面図。
【図５】二次電池の側断面図。
【図６】圧力開放弁の弁体が開裂した状態を示す縦断面図。
【図７】別の実施形態における二次電池の分解斜視図。
【図８】二次電池の側断面図。
【発明を実施するための形態】
【００１６】
以下、蓄電装置を二次電池に具体化した一実施形態を図１〜図６にしたがって説明する。
図１及び図２に示すように、蓄電装置としての二次電池１０は、例えば、アルミニウム製である金属製のケース１１を備える。二次電池１０は、ケース１１に収容された電極組立体１２及び電解液を備える。ケース１１は、開口１３ａを有するケース本体１３と、ケース本体１３の開口１３ａを閉塞する蓋体１４とを有する。
【００１７】
ケース本体１３は、矩形板状の底壁１３ｂと、底壁１３ｂの両短側縁からそれぞれ突出した形状の短側壁１３ｃと、底壁１３ｂの両長側縁からそれぞれ突出した形状の長側壁１３ｄとを備える。ケース１１は直方体状であり、ケース１１に合わせて電極組立体１２は直方体状である。二次電池１０は角型のリチウムイオン二次電池である。
【００１８】
図３に示すように、電極組立体１２は、矩形シート状の複数の正極電極２１と矩形シート状の複数の負極電極３１とを備える。正極電極２１と負極電極３１とは異なる極性の電極である。正極電極２１は、正極金属箔２１ａと、その正極金属箔２１ａの両面に存在する正極活物質層２１ｂとを備える。正極金属箔２１ａは、例えば、アルミニウム箔である。負極電極３１は、負極金属箔３１ａと、その負極金属箔３１ａの両面に存在する負極活物質層３１ｂとを備える。負極金属箔３１ａは、例えば、銅箔である。電極組立体１２は、複数の正極電極２１と複数の負極電極３１との間にセパレータ２４を介在させて層状構造とした積層型である。セパレータ２４は正極電極２１と負極電極３１とを絶縁する。つまり、電極組立体１２は、異なる極性の電極である正極電極２１と負極電極３１とがセパレータ２４によって互いに絶縁され、且つ層状構造を有する。なお、電極組立体１２の積層方向は、ケース１１における蓋体１４の短手方向である。
【００１９】
図１に示すように、正極電極２１は、正極電極２１の一辺の一部から突出した形状のタブ２５を有する。負極電極３１は、負極電極３１の一辺の一部から突出した形状のタブ３５を有する。複数の正極のタブ２５、及び複数の負極のタブ３５は、正極電極２１及び負極電極３１が積層された状態で、蓋体１４の長手方向において互いにずれた位置に配置されている。よって、複数の正極のタブ２５、及び複数の負極のタブ３５は、正極電極２１及び負極電極３１が積層された状態で、互いに重ならない。電極組立体１２は、タブ２５，３５の突出したタブ側端面１２ｂを有する。タブ側端面１２ｂは、蓋体１４の内面１４ａに対峙する電極組立体１２の端面である。
【００２０】
二次電池１０は、タブ側端面１２ｂから突出した形状の正極のタブ群２６を有する。正極のタブ群２６は、同じ極性同士である全ての正極のタブ２５を電極組立体１２における積層方向の一端側に寄せ集め、積層して構成されている。二次電池１０は、タブ側端面１２ｂから突出した形状の負極のタブ群３６を有する。負極のタブ群３６は、同じ極性同士である全ての負極のタブ３５を電極組立体１２における積層方向の一端側に寄せ集め、積層して構成されている。
【００２１】
二次電池１０は、導電部材である正極導電部材４１を備える。正極導電部材４１は、長手が蓋体１４の長手方向に延びる矩形板状である。正極導電部材４１の長手方向一端側には正極のタブ群２６が接合されている。そして、正極導電部材４１の長手方向一端側は、蓋体１４の内面１４ａと正極のタブ群２６との間に介在されている。また、正極導電部材４１のその他の部分は、蓋体１４の内面１４ａと、この内面１４ａに対峙した電極組立体１２のタブ側端面１２ｂとの間に配置されている。正極導電部材４１の長手方向他端側には正極端子４２が接合されている。正極端子４２は、正極導電部材４１から電極組立体１２とは反対側（蓋体１４側）に向けて延びている。
【００２２】
二次電池１０は、導電部材である負極導電部材５１を備える。負極導電部材５１は、長手が蓋体１４の長手方向に延びる矩形板状である。負極導電部材５１の長手方向一端側には負極のタブ群３６が接合されている。そして、負極導電部材５１の長手方向一端側は、蓋体１４の内面１４ａと負極のタブ群３６との間に介在されている。また、負極導電部材５１のその他の部分は、蓋体１４の内面１４ａと、この内面１４ａに対峙した電極組立体１２のタブ側端面１２ｂとの間に配置されている。負極導電部材５１の長手方向他端側には負極端子５２が接合されている。負極端子５２は、負極導電部材５１から電極組立体１２とは反対側（蓋体１４）側に向けて延びている。正極端子４２及び負極端子５２は互いに平行に延びている。
【００２３】
正極導電部材４１と負極導電部材５１とは、蓋体１４の長手方向において互いに離れている。正極端子４２及び負極端子５２は、蓋体１４を貫通してその一部がケース１１外に露出している。また、正極端子４２及び負極端子５２には、ケース１１から絶縁するためのリング状の絶縁部材１７ａがそれぞれ取り付けられている。
【００２４】
二次電池１０は、ケース１１の壁部である蓋体１４に存在する圧力開放弁１８を有する。圧力開放弁１８は、ケース１１内の圧力が所定の圧力である開放圧に達した場合に開裂し、ケース１１内の圧力をケース１１外に開放させる。圧力開放弁１８の開放圧は、ケース１１自体やケース本体１３と蓋体１４との接合部に亀裂や破断などが生じ得る前に開裂し得る圧力に設定されている。
【００２５】
本実施形態において、圧力開放弁１８は、蓋体１４と一体的に成形されている。具体的には、蓋体１４の両面のうちケース１１の外側に位置する外面１４ｂには、凹部２０が形成されており、圧力開放弁１８は、その凹部２０の底部を形成する板状の部位である。よって、圧力開放弁１８の厚みは、蓋体１４における圧力開放弁１８以外の部位の厚みよりも薄い。
【００２６】
凹部２０は、蓋体１４の長手方向の中央よりも正極端子４２寄りに位置する。よって、圧力開放弁１８は、蓋体１４の長手方向の中央よりも正極端子４２寄りに位置する。また、凹部２０は、蓋体１４の短手方向の中央に位置する。よって、圧力開放弁１８は、蓋体１４の短手方向の中央に位置する。凹部２０は、蓋体１４の外面１４ｂを平面視すると、蓋体１４の長手方向に長手が延びる長孔状である。よって、圧力開放弁１８は、蓋体１４の外面１４ｂを平面視すると、蓋体１４の長手方向に長手が延びる長円形状である。
【００２７】
図１、図４又は図５に示すように、二次電池１０は、遮蔽部材６０を備える。遮蔽部材６０は、蓋体１４の長手方向における正極導電部材４１と負極導電部材５１との間に配置されている。また、遮蔽部材６０は、蓋体１４の内面１４ａとタブ側端面１２ｂとの間に配置され、タブ側端面１２ｂ上に載置されている。遮蔽部材６０は合成樹脂製である。このため、遮蔽部材６０は、ケース１１内において正極電位の部材と負極電位の部材とを短絡させない。つまり、遮蔽部材６０は、蓋体１４の内面１４ａとタブ側端面１２ｂとの間で、異なる極性を短絡させない状態に存在する。
【００２８】
本実施形態の遮蔽部材６０は、負極導電部材５１側の面に開口部６０ａを有する直方体状（四角箱状）である。そして、遮蔽部材６０の内部とケース１１の内部とは開口部６０ａを介して連通している。
【００２９】
遮蔽部材６０は、矩形板状の遮蔽部６１を備える。遮蔽部６１は、蓋体１４の内面１４ａとタブ側端面１２ｂとの間に介在し、蓋体１４の厚み方向において圧力開放弁１８に対向している。遮蔽部６１の長手は、蓋体１４の長手方向に延びる。遮蔽部材６０は、遮蔽部６１の一対の長縁部から蓋体１４に向けて立設した形状の第１壁部６２を備える。第１壁部６２は、蓋体１４の長手方向に長手が延びる形状である。遮蔽部材６０は、第２壁部６３を備える。第２壁部６３は、遮蔽部６１の一対の短縁部のうち、正極導電部材４１寄りの短縁部から蓋体１４に向けて立設した形状である。一対の第１壁部６２と第２壁部６３とは互いに連結されている。
【００３０】
遮蔽部材６０は、遮蔽部６１に対向した矩形板状の被覆部６４を有する。よって、本実施形態において、遮蔽部材６０は、遮蔽部６１及び被覆部６４を一体に有し、遮蔽部６１と被覆部６４との間に開口部６０ａを有する。被覆部６４は、蓋体１４の内面１４ａと遮蔽部６１との間に介在している。被覆部６４の長手は、蓋体１４の長手方向に延びる。被覆部６４の一対の長縁部は、両第１壁部６２に連結されている。被覆部６４の一対の短縁部のうち、正極導電部材４１寄りの短縁部は、第２壁部６３に連結されている。被覆部６４の外面６４ａは、蓋体１４の内面１４ａに対向配置されている。
【００３１】
正極導電部材４１の長手方向の一端面には、第２壁部６３の外面が接触可能である。また、正極のタブ群２６の側面には、第２壁部６３の外面及び遮蔽部６１の端面が接触可能である。同様に、負極のタブ群３６の側面には、遮蔽部６１の端面が接触可能である。遮蔽部材６０は、蓋体１４の長手方向に僅かに移動すると、正極導電部材４１、正極のタブ群２６、又は、負極のタブ群３６に速やかに接触する。このため、遮蔽部材６０は、蓋体１４の長手方向への移動が規制されている。
【００３２】
ケース本体１３の一方の長側壁１３ｄの内面には、一方の第１壁部６２の外面が接触可能であり、他方の長側壁１３ｄの内面には、他方の第１壁部６２の外面が接触可能である。遮蔽部材６０は、ケース１１の内面である各長側壁１３ｄの内面から離間した状態にある。遮蔽部材６０は、蓋体１４の短手方向に僅かに移動すると、いずれかの長側壁１３ｄに速やかに接触する。このため、遮蔽部材６０は、蓋体１４の短手方向への移動が規制されている。よって、遮蔽部材６０は、タブ側端面１２ｂに沿ういずれの方向への移動も規制されている。
【００３３】
被覆部６４は、蓋体１４の厚み方向において圧力開放弁１８に対向する貫通孔６５を有する。貫通孔６５は、被覆部６４の外面６４ａを平面視すると、蓋体１４の長手方向に長手が延びる長孔状である。
【００３４】
図４に示すように、貫通孔６５の長手方向の長さＬ１は、圧力開放弁１８（凹部２０）の長手方向の長さＬ１１よりも短い。貫通孔６５の短手方向の長さＬ２は、圧力開放弁１８（凹部２０）の短手方向の長さＬ１２よりも短い。貫通孔６５は、平面視において凹部２０よりも小さい孔である。蓋体１４の厚み方向において、貫通孔６５の全領域は、圧力開放弁１８（凹部２０）に重なっている。
【００３５】
図５に示すように、蓋体１４の厚み方向において、貫通孔６５を形成する被覆部６４の内周面６５ａは、圧力開放弁１８に重なっている。そして、被覆部６４における貫通孔６５の周囲の部位は、蓋体１４の厚み方向において、蓋体１４の内面１４ａにおける圧力開放弁１８の周囲の部位に重なっており、さらには、圧力開放弁１８の外縁部にも重なっている。よって、被覆部６４における貫通孔６５の周囲の部位は、蓋体１４の内面１４ａにおける圧力開放弁１８の周囲の部位を覆っている。なお、被覆部６４における貫通孔６５の周囲の部位を耐熱性の良い樹脂により形成したり、被覆部６４における貫通孔６５の周囲の部位に耐熱性の良いコート層を設けたりするのが好ましい。
【００３６】
蓋体１４の内面１４ａにおける圧力開放弁１８の周囲の部位は、被覆部６４における貫通孔６５の周囲の部位によって覆われていない場合、圧力開放弁１８に向かうガスが、圧力開放弁１８からケース１１外へ放出される前に衝突し易い部位である。したがって、本実施形態において、被覆部６４における貫通孔６５の周囲の部位は、圧力開放弁１８に向かうガスが、圧力開放弁１８からケース１１外へ放出される前に衝突し易い部位である蓋体１４の内面１４ａにおける圧力開放弁１８の周囲の部位を少なくとも覆っている。
【００３７】
次に、本実施形態の作用について説明する。
このような二次電池１０において、その評価試験の一つである釘刺し試験が行われると、釘が電極組立体１２を積層方向に貫通し、釘によって正極電極２１と負極電極３１との間のセパレータ２４が破断し、正極電極２１と負極電極３１とがケース１１内において短絡する。そして、短絡が発生すると、その短絡部の周辺では熱が発生し、短絡部の周辺で発生した熱によって電解液成分が分解され、ケース１１内にガスが発生する。すると、ケース１１内の圧力が上昇する。
【００３８】
図６に示すように、ケース１１内の圧力が上昇し、ケース１１内の圧力が圧力開放弁１８の開放圧に達すると、圧力開放弁１８が開裂する。そして、短絡部で発生したガスは、図６で矢印で示すように開裂した圧力開放弁１８に向かうように流れる。また、発生するガスの勢いによって各電極２１，３１の一部が剥ぎ取られる。圧力開放弁１８に向かうガスは、遮蔽部６１の外面６１ａに衝突し、ガスの流れの向きが変わる。そして、遮蔽部６１への衝突により流れの向きを変えたガスは、遮蔽部材６０の開口部６０ａを介して遮蔽部材６０の内部に流れ込み、貫通孔６５を介して圧力開放弁１８からケース１１外へ放出される。
【００３９】
上記実施形態では以下の効果を得ることができる。
（１）短絡部で発生した高圧のガスが、ケース１１内の圧力が開放圧に達して開裂した圧力開放弁１８に向かう途中で遮蔽部６１に衝突し、ガスの流れの向きが変わることで、圧力開放弁１８に向かうガスの経路が長くなる。その結果、ガスに含まれる電極２１，３１の一部がケース１１内でガスから落下し、開裂した圧力開放弁１８から電極２１，３１の一部がケース１１外へ飛散することが抑止され、火花となることを抑止できる。また、被覆部６４における貫通孔６５の周囲の部位が、蓋体１４の内面１４ａにおける圧力開放弁１８の周囲の部位を覆っている。このため、遮蔽部６１に衝突した後に圧力開放弁１８に向かうガスが、圧力開放弁１８からケース１１外へ放出される前に、蓋体１４の内面１４ａにおける圧力開放弁１８の周囲の部位に衝突してしまうことを回避することができる。その結果、圧力開放弁１８に向かうガスにより、蓋体１４の内面１４ａにおける圧力開放弁１８の周囲の部位が削られることを抑止し、金属粉の発生を抑止できる結果、開裂した圧力開放弁１８から金属粉がケース１１外へ飛散することを抑止できる。
【００４０】
（２）遮蔽部材６０は、遮蔽部６１及び被覆部６４を一体に有し、遮蔽部６１と被覆部６４との間に開口部６０ａを有する。これによれば、遮蔽部６１と被覆部６４とが別体である場合に比べて、部品点数を削減することができ、二次電池１０の構成を簡素化できる。また、二次電池１０の組み立てが容易になる。また、圧力開放弁１８に向かうガスは、遮蔽部６１に衝突し、ガスの流れの向きが変わって、遮蔽部材６０の開口部６０ａ及び被覆部６４の貫通孔６５を介して圧力開放弁１８からケース１１外へ放出される。
【００４１】
（３）蓋体１４の厚み方向において、貫通孔６５を形成する被覆部６４の内周面６５ａは、圧力開放弁１８に重なっている。そして、被覆部６４における貫通孔６５の周囲の部位は、蓋体１４の厚み方向において、蓋体１４の内面１４ａにおける圧力開放弁１８の周囲の部位に重なっており、さらには、圧力開放弁１８の外縁部にも重なっている。よって、例えば、貫通孔６５を形成する被覆部６４の内周面６５ａが、蓋体１４の厚み方向において、凹部２０の内周面に重なっており、圧力開放弁１８とは重なっていない場合に比べて、被覆部６４における貫通孔６５の周囲の部位を、蓋体１４の圧力開放弁１８の周囲の部位に対して確実に重ねることができる。したがって、被覆部６４における貫通孔６５の周囲の部位によって、蓋体１４の内面１４ａにおける圧力開放弁１８の周囲の部位を確実に覆うことができる。
【００４２】
なお、上記実施形態は以下のように変更してもよい。
○  図７及び図８に示すように、二次電池１０は、蓋体１４と正極導電部材４１及び負極導電部材５１とを絶縁する絶縁カバー７１を備え、絶縁カバー７１を、貫通孔６５を有する被覆部としても機能させてもよい。したがって、遮蔽部材６０は、被覆部６４を一体に有しておらず、蓋体１４側が開口した箱状であってもよい。このように、絶縁カバー７１を被覆部として機能させる場合、絶縁カバー７１における貫通孔６５の周囲の部位を耐熱性の良い樹脂により形成したり、絶縁カバー７１における貫通孔６５の周囲の部位に耐熱性の良いコート層を設けたりするのが好ましい。絶縁カバー７１は、二次電池１０において既存の部材である。これによれば、既存の部材である絶縁カバー７１を被覆部として機能させることにより、被覆部を別部材として別途用意する必要が無くなるため、部品点数を削減することができる。
【００４３】
○  実施形態において、貫通孔６５の長手方向の長さＬ１と、圧力開放弁１８（凹部２０）の長手方向の長さＬ１１とが同じであってもよい。
○  実施形態において、貫通孔６５の短手方向の長さＬ２と圧力開放弁１８（凹部２０）の短手方向の長さＬ１２とが同じであってもよい。
【００４４】
○  実施形態において、貫通孔６５の長手方向の長さＬ１と、圧力開放弁１８（凹部２０）の長手方向の長さＬ１１とが同じであり、貫通孔６５の短手方向の長さＬ２と圧力開放弁１８（凹部２０）の短手方向の長さＬ１２とが同じであってもよい。つまり、貫通孔６５を形成する被覆部６４の内周面６５ａが、蓋体１４の厚み方向において、凹部２０の内周面に重なっており、圧力開放弁１８とは重なっていなくてもよい。
【００４５】
○  凹部２０が、平面視真円孔状であってもよく、圧力開放弁１８が、平面視真円形状であってもよい。そして、貫通孔６５も平面視真円孔状であってもよい。
○  圧力開放弁１８が、蓋体１４とは別部材であってもよい。この場合、蓋体１４には、圧力逃し孔が形成されており、圧力開放弁１８は、圧力逃し孔に対して密封された状態で取り付けられる。
【００４６】
○  遮蔽部材６０は、金属製であってもよい。この場合、正極電位の部材（正極導電部材４１や正極電極２１）と、負極電位の部材（負極導電部材５１や負極電極３１）との間に絶縁性部材を介在させる。絶縁性部材は、電位を帯びた部材及び遮蔽部材６０のいずれか一方に一体化させていてもよいし、両方に一体化されていてもよい。なお、絶縁性部材としては絶縁性樹脂やセラミックのコーティングが挙げられる。又は、遮蔽部材６０が金属製の場合、遮蔽部材６０は、正極電位の部材（正極導電部材４１や正極電極２１）、及び負極電位の部材（負極導電部材５１や負極電極３１）のうち、いずれか一方に接触する場合は、他方には接触しない状態に配置される。
【００４７】
○  遮蔽部材６０は、タブ側端面１２ｂに載置されず、蓋体１４の内面１４ａやその他の部材に接合されていてもよい。
○  遮蔽部材６０は、蓋体１４の内面１４ａとタブ側端面１２ｂとの間で、異なる極性を短絡させない状態に存在するものであればよく、その構成や形状は特に限定されるものではない。
【００４８】
○  実施形態において、遮蔽部６１が遮蔽部材６０とは別部材であってもよい。
○  セパレータ２４は、正極電極２１と負極電極３１との間に１枚ずつ介装されるタイプでなくてもよく、例えば、正極電極２１を収容した袋状セパレータであってもよい。又は、セパレータは長尺状であり、つづら折りされることによって正極電極２１と負極電極３１との間に介在するタイプでもよい。
【００４９】
○  電極組立体は、１枚の帯状の正極電極と１枚の帯状の負極電極とをセパレータで絶縁した状態で捲回軸を中心に捲回した捲回型であってもよい。
○  蓄電装置は、電気二重層キャパシタ等の他の蓄電装置であってもよい。
【００５０】
○  実施形態では、二次電池１０はリチウムイオン二次電池であったが、これに限られず、ニッケル水素等の他の二次電池であってもよい。要は、正極活物質層と負極活物質層との間をイオンが移動するとともに電荷の授受を行うものであればよい。
【符号の説明】
【００５１】
１０…蓄電装置としての二次電池、１１…ケース、１２…電極組立体、１２ｂ…端面であるタブ側端面、１４…壁部である蓋体、１４ａ…内面、１８…圧力開放弁、２１…電極としての正極電極、２５，３５…タブ、２６，３６…タブ群、３１…電極としての負極電極、４１…導電部材である正極導電部材、５１…導電部材である負極導電部材、６０…遮蔽部材、６０ａ…開口部、６１…遮蔽部、６４…被覆部、６５…貫通孔、７１…絶縁カバー。
【図１】
2018049737.tif 000003
【図２】
2018049737.tif 000004
【図３】
2018049737.tif 000005
【図４】
2018049737.tif 000006
【図５】
2018049737.tif 000007
【図６】
2018049737.tif 000008
【図７】
2018049737.tif 000009
【図８】
2018049737.tif 000010